(57)【特許請求の範囲】
【請求項１】
所定の各時間帯ごとの騒音レベルを検出する騒音検出手段と、
音を発生する音発生手段と、
前記音の発生音量の入力を受付けて、当該発生音量の入力を受付けた時間帯とその時間帯における騒音レベルとを対応付けて音量調整テーブルに記録する音量基準値入力受付手段と、
前記入力を受付けた発生音量とその入力を受付けた時間帯における騒音レベルとの対応関係に応じて、騒音レベルが増加するにつれて発生音量が増加する所定の演算により他の複数の時間帯における発生音量を算出する発生音量算出手段と、
前記他の複数の時間帯それぞれにおける騒音レベルと、前記他の複数の時間帯それぞれについて算出した発生音量とを、各時間帯に対応付けて前記音量調整テーブルに記録する音量調整テーブル作成手段と、を備え、
前記音発生手段は、音の発生指示を受けた場合には、当該発生指示を受付けた時間帯に対応付けられて前記音量調整テーブルに記録されている発生音量により音を発生する
ことを特徴とする音発生装置。
【請求項２】
前記音量基準値入力受付手段が音の発生音量の入力を複数回受付け、
前記発生音量算出手段が前記複数回入力を受付けた発生音量のうち２つの発生音量を特定し、その２つの発生音量とそれら２つの発生音量の入力を受け付けた時間帯の騒音レベルとの関係に基づいて決定される前記所定の演算により、他の複数の時間帯における発生音量を新たに算出し、
前記音量調整テーブル作成手段は、前記音量調整テーブルに記録されている他の複数の時間帯における発生音量を新たに算出された発生音量へと更新する
ことを特徴とする請求項１に記載の音発生装置。
【請求項３】
前記騒音検出手段は前記騒音レベルを常時検出し、既に音量調整テーブルに記録された騒音レベルを新たに検出した騒音レベルに更新する
ことを特徴とする請求項１または請求項２に記載の音発生装置。
【請求項４】
音発生装置における音発生方法であって、
所定の各時間帯ごとの騒音レベルを検出する騒音検出処理と、
音を発生する音発生処理と、
前記音の発生音量の入力を受付けて、当該発生音量の入力を受付けた時間帯とその時間帯における騒音レベルとを対応付けて音量調整テーブルに記録する音量基準値入力受付処理と、
前記入力を受付けた発生音量とその入力を受付けた時間帯における騒音レベルとの対応関係に応じて、騒音レベルが増加するにつれて発生音量が増加する所定の演算により他の複数の時間帯における発生音量を算出する発生音量算出処理と、
前記他の複数の時間帯それぞれにおける騒音レベルと、前記他の複数の時間帯それぞれについて算出した発生音量とを、各時間帯に対応付けて前記音量調整テーブルに記録する音量調整テーブル作成処理と、を有し、
前記音発生処理において、音の発生指示を受けた場合には、当該発生指示を受付けた時間帯に対応付けられて前記音量調整テーブルに記録されている発生音量により音を発生する
ことを特徴とする音発生方法。
【請求項５】
音発生装置のコンピュータに実行させるプログラムであって、
所定の各時間帯ごとの騒音レベルを検出する騒音検出処理と、
前記音の発生音量の入力を受付けて、当該発生音量の入力を受付けた時間帯とその時間帯における騒音レベルとを対応付けて音量調整テーブルに記録する音量基準値入力受付処理と、
前記入力を受付けた発生音量とその入力を受付けた時間帯における騒音レベルとの対応関係に応じて、騒音レベルが増加するにつれて発生音量が増加する所定の演算により他の複数の時間帯における発生音量を算出する発生音量算出処理と、
前記他の複数の時間帯それぞれにおける騒音レベルと、前記他の複数の時間帯それぞれについて算出した発生音量とを、各時間帯に対応付けて前記音量調整テーブルに記録する音量調整テーブル作成処理と、
音の発生指示を受けた場合には、当該発生指示を受付けた時間帯に対応付けられて前記音量調整テーブルに記録されている発生音量により音を発生する音発生処理と、
をコンピュータに実行させるプログラム。
【請求項６】
音発生装置のコンピュータに実行させるプログラムを記憶する記録媒体であって、
所定の各時間帯ごとの騒音レベルを検出する騒音検出処理と、
前記音の発生音量の入力を受付けて、当該発生音量の入力を受付けた時間帯とその時間帯における騒音レベルとを対応付けて音量調整テーブルに記録する音量基準値入力受付処理と、
前記入力を受付けた発生音量とその入力を受付けた時間帯における騒音レベルとの対応関係に応じて、騒音レベルが増加するにつれて発生音量が増加する所定の演算により他の複数の時間帯における発生音量を算出する発生音量算出処理と、
前記他の複数の時間帯それぞれにおける騒音レベルと、前記他の複数の時間帯それぞれについて算出した発生音量とを、各時間帯に対応付けて前記音量調整テーブルに記録する音量調整テーブル作成処理と、
音の発生指示を受けた場合には、当該発生指示を受付けた時間帯に対応付けられて前記音量調整テーブルに記録されている発生音量により音を発生する音発生処理と、
をコンピュータに実行させるプログラムを記憶する記録媒体。
【発明の詳細な説明】
【技術分野】
【０００１】
本発明は、周囲の騒音に合わせて音の音量を調整する音発生装置および音発生方法ならびにそのプログラムに関する。
【背景技術】
【０００２】
レストランなどにおいて、調理済み飲食物の配膳を接客係に指示する場合や、客がウエイトレスを呼ぶ場合などに、音を発生して通知する装置が設置されている。このような人数が多く集まる場所において音を発生する装置では、その発生の音量を、話し声などによる騒音の大きさに応じて使用者が調整している。なおレストランなどにおいて接客係を客がコールするシステムとして特許文献１が公開されている。
【特許文献１】特開２００３−２１７０３２号公報
【発明の開示】
【発明が解決しようとする課題】
【０００３】
騒音が発生する環境の中で音を発生する音発生装置の音量は、一度音量を調整すると、騒音が軽減した場合でも騒音のレベルが大きかった時に調整された音量の状態を維持しているので、使用者は再度音量の調整をしなければならず、面倒であった。また騒音のレベルが大きくなる場合にも、騒音のレベルが小さい時に調整された音量の状態を維持しているので、音発生装置の役割を果たすよう音量の調整をしなければならず面倒であった。また音発生装置の発生する音はその音発生装置の設置されている環境に応じて適度な音量に設定されることが望ましい。
【０００４】
そこでこの発明は、適度な音量を使用者の労力無く調整することのできる音発生装置および音発生方法ならびにそのプログラムを提供することを目的としている。
【課題を解決するための手段】
【０００５】
上記目的を達成するために、本発明は、所定の各時間帯ごとの騒音レベルを検出する騒音検出手段と、音を発生する音発生手段と、前記音の発生音量の入力を受付けて、当該発生音量の入力を受付けた時間帯とその時間帯における騒音レベルとを対応付けて音量調整テーブルに記録する音量基準値入力受付手段と、前記入力を受付けた発生音量とその入力を受付けた時間帯における騒音レベルとの対応関係に応じて、騒音レベルが増加するにつれて発生音量が増加する所定の演算により他の複数の時間帯における発生音量を算出する発生音量算出手段と、前記他の複数の時間帯それぞれにおける騒音レベルと、前記他の複数の時間帯それぞれについて算出した発生音量とを、各時間帯に対応付けて前記音量調整テーブルに記録する音量調整テーブル作成手段と、を備え、前記音発生手段は、音の発生指示を受けた場合には、当該発生指示を受付けた時間帯に対応付けられて前記音量調整テーブルに記録されている発生音量により音を発生することを特徴とする音発生装置である。
【０００６】
また本発明は、前記音量基準値入力受付手段が音の発生音量の入力を複数回受付け、前記発生音量算出手段が前記複数回入力を受付けた発生音量のうち２つの発生音量を特定し、その２つの発生音量とそれら２つの発生音量の入力を受け付けた時間帯の騒音レベルとの関係に基づいて決定される前記所定の演算により、他の複数の時間帯における発生音量を新たに算出し、前記音量調整テーブル作成手段は、前記音量調整テーブルに記録されている他の複数の時間帯における発生音量を新たに算出された発生音量へと更新することを特徴とする。
【０００７】
また本発明は、前記騒音検出手段は前記騒音レベルを常時検出し、既に音量調整テーブルに記録された騒音レベルを新たに検出した騒音レベルに更新することを特徴とする。
【０００８】
また本発明は、音発生装置における音発生方法であって、所定の各時間帯ごとの騒音レベルを検出する騒音検出処理と、音を発生する音発生処理と、前記音の発生音量の入力を受付けて、当該発生音量の入力を受付けた時間帯とその時間帯における騒音レベルとを対応付けて音量調整テーブルに記録する音量基準値入力受付処理と、前記入力を受付けた発生音量とその入力を受付けた時間帯における騒音レベルとの対応関係に応じて、騒音レベルが増加するにつれて発生音量が増加する所定の演算により他の複数の時間帯における発生音量を算出する発生音量算出処理と、前記他の複数の時間帯それぞれにおける騒音レベルと、前記他の複数の時間帯それぞれについて算出した発生音量とを、各時間帯に対応付けて前記音量調整テーブルに記録する音量調整テーブル作成処理と、を有し、前記音発生処理において、音の発生指示を受けた場合には、当該発生指示を受付けた時間帯に対応付けられて前記音量調整テーブルに記録されている発生音量により音を発生することを特徴とする音発生方法である
【０００９】
また本発明は、音発生装置のコンピュータに実行させるプログラムであって、所定の各時間帯ごとの騒音レベルを検出する騒音検出処理と、前記音の発生音量の入力を受付けて、当該発生音量の入力を受付けた時間帯とその時間帯における騒音レベルとを対応付けて音量調整テーブルに記録する音量基準値入力受付処理と、前記入力を受付けた発生音量とその入力を受付けた時間帯における騒音レベルとの対応関係に応じて、騒音レベルが増加するにつれて発生音量が増加する所定の演算により他の複数の時間帯における発生音量を算出する発生音量算出処理と、前記他の複数の時間帯それぞれにおける騒音レベルと、前記他の複数の時間帯それぞれについて算出した発生音量とを、各時間帯に対応付けて前記音量調整テーブルに記録する音量調整テーブル作成処理と、音の発生指示を受けた場合には、当該発生指示を受付けた時間帯に対応付けられて前記音量調整テーブルに記録されている発生音量により音を発生する音発生処理と、をコンピュータに実行させるプログラムである。
【００１０】
また本発明は、音発生装置のコンピュータに実行させるプログラムを記憶する記録媒体であって、所定の各時間帯ごとの騒音レベルを検出する騒音検出処理と、前記音の発生音量の入力を受付けて、当該発生音量の入力を受付けた時間帯とその時間帯における騒音レベルとを対応付けて音量調整テーブルに記録する音量基準値入力受付処理と、前記入力を受付けた発生音量とその入力を受付けた時間帯における騒音レベルとの対応関係に応じて、騒音レベルが増加するにつれて発生音量が増加する所定の演算により他の複数の時間帯における発生音量を算出する発生音量算出処理と、前記他の複数の時間帯それぞれにおける騒音レベルと、前記他の複数の時間帯それぞれについて算出した発生音量とを、各時間帯に対応付けて前記音量調整テーブルに記録する音量調整テーブル作成処理と、音の発生指示を受けた場合には、当該発生指示を受付けた時間帯に対応付けられて前記音量調整テーブルに記録されている発生音量により音を発生する音発生処理と、をコンピュータに実行させるプログラムを記憶する記録媒体である。
【発明の効果】
【００１１】
本発明によれば、ある時間帯の発生音量レベルを指定すれば、他の時間帯については操作者が音量の調整をせずに騒音レベルに応じた音量レベルが自動的に算出されて音が発生されるので、操作者の労力を軽減することができる。また騒音のレベルに応じた発生音量のレベルで音が発生するので、発生音が大き過ぎたり、逆に小さ過ぎるといった状況が減り、これにより、発生音を聞く側の発生音に対する違和感（例えば音が聞こえないといった不満や大き過ぎるといった不満）を軽減することができる。
【発明を実施するための最良の形態】
【００１２】
以下、本発明の一実施形態による音発生装置を図面を参照して説明する。図１は同実施形態による音発生装置の構成を示すブロック図である。この図において、符号１は音発生装置である。そして音発生装置１は、ある時間帯における音量の基準値をユーザの操作に基づいて受け付ける音量基準値受付部１１（音量基準値入力受付手段）と、時刻をカウントする時刻カウント部１２と、集音マイクなどから入力された音のレベルを測定する騒音測定部１３（騒音検出手段）と、各時間帯における発生音の音量のレベルを算出する発生音量算出部１４（発生音量算出手段）と、各時間帯における発生音量のレベルを記録する音量調整テーブルを作成する音量調整テーブル作成部１５（音量調整テーブル作成手段）と、音の発生処理を行う音発生処理部１６（音発生手段）と、各種情報を記憶する記憶部１７とを備えている。
【００１３】
図２は音量調整テーブルのデータ構造を示す第１の図である。
音発生装置１の記憶部１７は図２で示すような音量調整テーブルを保持している。この音量調整テーブルは各時間帯における騒音レベルと発生音量レベルとを対応付けて記憶しており、またユーザからの入力によりある時間帯における発生音量レベルの基準値を記憶している。騒音レベルは騒音測定部１３によって測定された情報が記録され、また発生音量レベルの基準値は音量基準値受付部１１によってユーザから受付けた音量レベルをその入力を受付けた時間帯に対応付けられて記録され、また発生音量レベルは発生音量算出部１４の算出結果に基づいて音量調整テーブル作成部１５によって記録される。
【００１４】
図３は音発生装置の処理フローを示す図である。
次に音発生装置の処理フローについて順を追って説明する。
まず初期状態においては音発生装置１の記憶する音量調整テーブルには騒音レベル、発生音量レベルの基準値、発生音量レベルの各情報は記録されていない。このような状態において音発生装置１が起動または電源投入がされると、時刻カウント部１２が時刻のカウントを開始する（ステップＳ１）。また騒音測定部１３は音量調整テーブルで規定されている各時間帯の騒音レベルを集音マイクなどを用いて測定する（ステップＳ２）。ここで本実施形態においては音量調整テーブルは１時間ごとの各時間帯の騒音レベルと発生音量レベルを対応付けて記憶する。例えば、騒音測定部１３は１時間の時間帯における複数の時刻に測定した騒音のレベルの平均を、その１時間の時間帯における騒音レベルとして記録する。
【００１５】
また各時間帯における騒音レベルの測定中または全ての時間帯における騒音レベルの測定終了後のある時刻に、音量基準値受付部１１はユーザから発生音量レベルの基準値の入力を受付ける（ステップＳ３）。例えばユーザが音発生装置１に備えられている音量調整ツマミを調節することによりその時間帯の発生音量レベルの基準値を入力し、その情報を受付ける。すると音量基準値受付部１１は当該音量の基準値の入力を受付けた時刻の該当する時間帯の情報に対応付けて、その音量の基準値を音量調整テーブルに記録する。図２で示したように本実施形態においては１２時の発生音量レベル「９」の基準値が入力されたものとする。
【００１６】
発生音量レベルの基準値が入力されると発生音量算出部１４は、その基準値の入力された時間帯以外の他の時間帯の発生音量のレベルについて算出する（ステップＳ４）。この算出方法は、例えば、音発生装置１の発生できる発生音量レベルの範囲と、騒音レベルの想定される範囲とが規定されており、発生音量レベルの基準値の入力を受付けた騒音レベルを基準騒音レベルとする。そして騒音レベルの規定範囲におけるある時間帯に測定された騒音レベルと基準騒音レベルとの相対関係に基づいて、発生音量レベルの規定範囲における発生音量レベルと発生音量レベルの基準値との相対関係を導くことにより、その時間帯における発生音量レベルを算出する。
【００１７】
図４は発生音量レベルの算出時に利用する各パラメータの概要を示す第１の図である。
図４の（ａ）、（ｂ）のグラフより、発生音量レベルの算出方法を具体的に説明すると、騒音レベルの規定範囲が０〜４０（ｘ1）、基準騒音レベルが３０（ｘ2）、２３時の時間帯に測定された騒音レベルを２０（ｘ3）とし、また発生音量レベルの規定範囲を０〜１０（ｙ１）、入力を受付けた発生音量レベルの基準値を９（ｙ2）とすると、騒音レベルの規定範囲（ｘ1）において、測定した騒音レベル（ｘ3）の基準騒音レベル（ｘ2）からの遷移の割合は（ｘ2／ｘ1−ｘ3／ｘ1）となる。従って、その遷移の割合を発生音量レベルの規定範囲（ｙ1）における発生音量の基準値（ｙ1）からの遷移の割合へと適用して、２３時の時間帯の発生音量のレベル（Ｙ）を算出する場合、
【００１８】
Ｙ＝ｙ2−｛ｙ1×（ｘ2／ｘ1−ｘ3／ｘ1）｝
【００１９】
の算出式を用いればよい。なお算出結果Ｙは四捨五入して小数点以下を切り捨てて発生音量を算出する。これにより図２のように１２時の時間帯の発生音量の基準値が９、基準騒音レベルが３０である場合、２３時の時間帯に測定された騒音レベルが２０であるとすると、その２３時の時間帯の発生音量のレベルは「７」となる。また同様の計算により０時の時間帯に測定した騒音レベルｘ3が５であるので発生音量は「３」と算出される。また１時の時間帯に測定した騒音レベルｘ3が８であるので発生音量は「４」と算出される。また２時の時間帯に測定した騒音レベルｘ3が９であるので発生音量は「４」と算出される。
【００２０】
図５は発生音量レベルの算出時に利用する各パラメータの概要を示す第２の図である。
図６は音量調整テーブルのデータ構造を示す第２の図である。
図５より、発生音量のレベルについての他の算出方法としては、例えば発生音量の基準値について複数回の入力を受付ける。そして直近の２回の発生音量のレベルの基準値と、それらの基準値の入力された時間帯の騒音レベルとに基づいて、騒音レベルと発生音量のレベルとの相対関係が２つ得られる。これにより補完計算によって、他の騒音レベルの際の発生音量のレベルを算出する。図５に示すように、２時と１２時の各時間帯に発生音量レベルの基準値として「２」、「９」が入力され、その各時間帯の騒音レベルが「３」、「３０」であるとする。すると、それら発生音量レベルの基準値と騒音レベルの２つの対応関係に基づいて、それら２つの点を結ぶ直線の算出式を用いて演算が行われる。そして０時の時間帯の発生音量レベルが「３」、１時の時間帯の発生音量レベルが「３」、２３時の時間帯の発生音量レベルが「７」、と算出され、音量調整テーブルが作成される。なお発生音量算出部１４は、騒音レベルが増加するにつれて発生音量が増加する所定の演算であればどのような方法により発生音量のレベルを算出しても良い。
【００２１】
また騒音測定部１３は常時騒音のレベルをカウントしており、各時間帯における騒音のレベルを新たなレベルの値に更新するようにしてもよい。騒音レベルが更新されたか否かの判定を行い（ステップＳ５）更新されている場合にはステップＳ４に戻り、発生音量算出部１４は上述の演算を再度行って、各時間帯における発生音量のレベルを算出し更新する。また更新されていない場合には発生音レベルの基準値が更新されたか否かを判定する（ステップＳ６）。そして発生音量レベルの基準値が更新されている場合には、ステップＳ４に戻り、発生音量算出部１４は上述の演算を再度行って、各時間帯における発生音量のレベルを算出し更新する。また発生音量レベルの基準値が更新されていない場合には、次に音発生の指示を受付けたか否かを判定する（ステップＳ７）。そして音発生の指示を受付けていない場合にはステップＳ５に戻る。また音発生の指示を受付けた場合には、音発生処理部１６がその音発生指示を受付けた時刻を時刻カウント部１２から出力される時刻により判定し、その時間帯の発生音量レベルを音量調整テーブルから読み取る（ステップＳ８）。そして、その読み取った発生音量レベルによりスピーカから音を発生する（ステップＳ９）。
【００２２】
以上の処理により、ある時間帯の基準となる発生音量レベルを指定すれば、他の時間帯については操作者が音量の調整をせずに騒音レベルに応じた音量レベルが自動的に算出されて音が発生されるので、操作者の労力を軽減することができる。また騒音のレベルに応じた発生音量のレベルで音が発生するので、発生音が大き過ぎたり、逆に小さ過ぎるといった状況が減り、これにより、発生音を聞く側の発生音に対する違和感（例えば音が聞こえないといった不満や大き過ぎるといった不満）を軽減することができる。
【００２３】
なお音発生装置１は、例えば調理済み飲食物の配膳のウエイトレスへの指示や、客のウエイトレスを呼ぶ際に利用されるものとして有用でる。また構内放送などのスピーカに音発生装置１を備えるようにしても良い。またその他、騒音に応じて音量を調整しなけばならないような装置に音発生装置１を備えることで、上記のような効果が得られる。
【００２４】
上述の音発生装置は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００２５】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００２６】
【図１】音発生装置の構成を示すブロック図である。
【図２】音量調整テーブルのデータ構造を示す第１の図である。
【図３】音発生装置の処理フローを示す図である。
【図４】発生音量レベルの算出時に利用する各パラメータの概要を示す第１の図である。
【図５】発生音量レベルの算出時に利用する各パラメータの概要を示す第２の図である。
【図６】音量調整テーブルのデータ構造を示す第２の図である。
【符号の説明】
【００２７】
１・・・音発生装置
１１・・・音量基準値受付部
１２・・・時刻カウント部
１３・・・騒音測定部
１４・・・発生音量算出部
１５・・・音量調整テーブル作成部
１６・・・音発生処理部
１７・・・記憶部
【図１】
0004652982.tif 000002
【図２】
0004652982.tif 000003
【図３】
0004652982.tif 000004
【図４】
0004652982.tif 000005
【図５】
0004652982.tif 000006
【図６】
0004652982.tif 000007